(57)【要約】【課題】  被遠隔操作装置たる電子機器に専用の探索機能を設けなくとも、ユーザが探索することができるリモコン装置を提供する。【解決手段】  ユーザがＴＶ本体１の電源スイッチ１ｅを操作して主電源１ａをオンさせると、特定の周波数成分を含んだ起動音がスピーカ１ｃから発せられる。リモコン装置２の受音部２ａがスピーカ１ｃからの起動音を受音し音信号に変換すると、信号フィルタ２ｂは、起動音の音信号にフィルタリングを施して特定の周波数成分のみを通過させ、信号検知部２ｃでは、信号フィルタ２ｂを通過する音信号の存在を検知し、音信号の存在を検知すれば、検知信号をドライバ２ｄ，２ｆ，２ｈへ出力して、ドライバ２ｄが発音部２ｅから報知音を発し、ドライバ２ｆがＬＥＤ２ｇを点灯あるいは点滅させ、ドライバ２ｈがバイブレータ２ｉを駆動してリモコン装置２本体を振動させる。【選択図】図１
2005176091.tif 000002
【特許請求の範囲】
【請求項１】
電子機器が発する音を受音して音信号に変換する受音部と、前記音信号の特定の周波数成分を通過させる信号フィルタと、前記信号フィルタを通過する信号に基づいて駆動される報知手段とを備えることを特徴とするリモコン装置。
【請求項２】
電子機器が発する音を受音して音信号に変換する受音部と、前記電子機器が発する固有の音パターンを記憶したデータベース部と、前記音信号と前記データベース部に記憶した音パターンとが一致するか否かを判断する認証部と、前記認証部で前記音信号と前記データベース部に記憶した音パターンとが一致すると判断した場合に駆動される報知手段とを備えることを特徴とするリモコン装置。
【請求項３】
前記データベース部は、複数の電子機器が発する各固有の音パターンを予め記憶し、前記認証部は、前記音信号と前記データベース部に記憶した複数の音パターンのうち選択された音パターンとが一致するか否かを判断することを特徴とする請求項２記載のリモコン装置。
【請求項４】
前記データベース部は、電子機器が発する固有の音パターンを、前記受音部で変換された音信号に基づいて記憶することを特徴とする請求項２記載のリモコン装置。
【発明の詳細な説明】
【技術分野】
【０００１】
本発明は、テレビジョン受像機等の電子機器を操作するリモコン装置に関するものである。
【背景技術】
【０００２】
従来、テレビジョン受像機（以後、ＴＶ本体と称する。）等の電子機器（被遠隔操作装置）を遠隔操作するリモコン装置（遠隔操作装置）が置き忘れ等によって所在がわからなくなり、部屋中を探し回らなけらばならないという不便性を解決するため、例えばＴＶ本体に、呼び出し信号の発信手段、リモコン検索用スイッチ、リモコン制御手段を設け、リモコン装置に呼び出し信号の受信手段、報知手段を設けて、ＴＶ本体のリモコン検索用スイッチを操作することにより呼び出し信号を送信し、呼び出し信号を受信したリモコン装置は報知手段によって呼び出し音を出力することでその位置をユーザに知らせるものがある。（例えば、特許文献１参照）。さらにはＴＶ本体のリモコン制御手段を操作することでリモコン装置の報知手段の呼び出し音量を変化させるものもある。（例えば、特許文献２参照）。
【特許文献１】特開平７−１７７３７６号公報（段落番号［００３２］〜［００３５］、図２）
【特許文献２】特開平８−２９４１８４号公報（段落番号[００１６]、図１）
【発明の開示】
【発明が解決しようとする課題】
【０００３】
上記従来例では、リモコン装置を探索するために、呼び出し信号の発信手段、リモコン検索用スイッチ、リモコン制御手段等の専用装置が電子機器に必要であった。
【０００４】
本発明は、上記事由に鑑みてなされたものであり、その目的は、被遠隔操作装置たる電子機器に専用の探索機能を設けなくとも、ユーザが探索することができるリモコン装置を提供することにある。
【課題を解決するための手段】
【０００５】
請求項１の発明は、電子機器が発する音を受音して音信号に変換する受音部と、前記音信号の特定の周波数成分を通過させる信号フィルタと、前記信号フィルタを通過する信号に基づいて駆動される報知手段とを備えることを特徴とする。
【０００６】
請求項２の発明は、電子機器が発する音を受音して音信号に変換する受音部と、前記電子機器が発する固有の音パターンを記憶したデータベース部と、前記音信号と前記データベース部に記憶した音パターンとが一致するか否かを判断する認証部と、前記認証部で前記音信号と前記データベース部に記憶した音パターンとが一致すると判断した場合に駆動される報知手段とを備えることを特徴とする。
【０００７】
請求項３の発明は、請求項２において、前記データベース部は、複数の電子機器が発する各固有の音パターンを予め記憶し、前記認証部は、前記音信号と前記データベース部に記憶した複数の音パターンのうち選択された音パターンとが一致するか否かを判断することを特徴とする。
【０００８】
請求項４の発明は、請求項２において、前記データベース部は、電子機器が発する固有の音パターンを、前記受音部で変換された音信号に基づいて記憶することを特徴とする。
【発明の効果】
【０００９】
このような構成のリモコン装置は、被遠隔操作装置たる一般の電子機器が標準的に具備している構成要素から起動時等に発する音を受音することで、報知音、発光、振動等の報知手段で周囲に自装置が置かれている場所を報知することができるので、電子機器に専用の探索機能を設けなくとも、ユーザがリモコン装置を探索することができるという効果がある。また、探索手段として電子機器が発する音を用いるので、電子機器が送信する無線信号や光信号を用いる場合と比べて、探索範囲の死角を低減させることができるという効果がある。
【発明を実施するための最良の形態】
【００１０】
以下、本発明の実施の形態を図面に基づいて説明する。
【００１１】
（実施形態１）
本実施形態のリモコン装置の探索機能を説明するためのブロック構成を図１に示し、外観構成を図２に示す。本実施形態では図１、図２に示すように、電子機器として一般的に提供されているテレビジョン受像機（以後、ＴＶ本体と称する。）１を用いており、ＴＶ本体１は電源スイッチ１ｅによってオン・オフされる主電源１ａから電源を供給され、操作部１ｆまたはリモコン装置２の各操作に応じて本機の動作を制御する制御部１ｂを備えて、音声出力用のスピーカ１ｃを標準的に内蔵している。また、ＴＶ本体１の外部にスピーカ１ｄを直接接続している場合、あるいは機器を介して外部にスピーカ（不図示）を接続している場合もある。
【００１２】
このＴＶ本体１を遠隔操作するリモコン装置２は、ＴＶ本体１を遠隔操作するためのキー操作部２ｍを備えるとともに、自装置、つまりリモコン装置２の探索機能を備えており、上記一般的に提供されているＴＶ本体１が起動時に発する起動音を探索手段として用いて自装置の所在をユーザに報知するものである。本願発明はこのリモコン装置２に関するものであり、リモコン装置２は、周囲の音を集音して音信号に変換するコンデンサマイク等の受音部２ａと、受音部２ａからの音信号にフィルタリングを施して特定の周波数成分のみを通過させる信号フィルタ２ｂと、信号フィルタ２ｂを通過した音信号を検出する信号検出部２ｃと、ドライバ２ｄで駆動されるスピーカ等の発音部２ｅと、ドライバ２ｆで駆動されるＬＥＤ２ｇと、ドライバ２ｈで駆動されるバイブレータ２ｉとを備える。なお、信号フィルタ２ｂと信号検出部２ｃとを１つにまとめてフィルタ部２０としてもよい。なお、本実施形態としては、報知手段は、発音部２ｅ、ＬＥＤ２ｇ、バイブレータ２ｉの３つを設けているが、この３つの報知手段のうちいずれか１つの報知手段を設けておればよい。
【００１３】
次に本実施形態の動作について図３のフローチャートを用いて説明する。ＴＶ本体１は制御部１ｂの動作プログラムに従って動作しており、ユーザが電源スイッチ１ｅを操作して主電源１ａがオンしたときに（ステップＳ１）、起動音がスピーカ１ｃから発せられる（ステップＳ２）。この起動音はこのＴＶ本体１固有の特定の周波数成分を含んでいる。また起動音は、ＴＶ本体１でテレビ音声用に設定されている音量と同等、あるいはそれよりも大きい音量であれば好適であり、さらには、人間の耳に聞こえない周波数帯を用いてもよい。そして、リモコン装置２の受音部２ａがスピーカ１ｃからの起動音を受音して音信号に変換すると（ステップＳ３）、信号フィルタ２ｂは、起動音の音信号にフィルタリングを施して特定の周波数成分のみを通過させる（ステップＳ４）。信号検知部２ｃでは、信号フィルタ２ｂを通過する音信号の存在を検知し（ステップＳ５）、信号検知部２ｃが音信号の存在を検知すれば検知信号をドライバ２ｄ，２ｆ，２ｈへ出力して、ドライバ２ｄが発音部２ｅから報知音を発し、ドライバ２ｆがＬＥＤ２ｇを点灯あるいは点滅させ、ドライバ２ｈがバイブレータ２ｉを駆動してリモコン装置２本体を振動させる（ステップＳ６）。信号検知部２ｃが音信号の存在を検知しなければ処理は終了する（ステップＳ７）。
【００１４】
このように、起動時等に音を発するＴＶ本体１等の電子機器にリモコン装置探索用の専用装置を設けることなく、ユーザーがリモコン装置２を報知音、発光、振動によって探すことができる。また、電子機器１は一般に提供されているものを用いることができ、従来のようにリモコン装置探索用の専用装置のために電子機器の製造コストが上昇することはない。なお、電子機器のスピーカは内蔵されているもの、あるいは外部に接続されるもののいずれでもよい。
【００１５】
また本実施形態ではリモコン装置２の探索手段として電子機器が発する音を用いることによって、探索手段に無線信号や光信号を用いる場合と比べて、リモコン装置２が探索手段の死角に存在して探索できないという状況を低減できる。
【００１６】
（実施形態２）
本実施形態のリモコン装置の探索機能を説明するためのブロック構成を図４に示す。ＴＶ本体１の構成は実施形態１と同様なので省略し、実施形態１と同様のリモコン装置２の構成には同一の符号を付して説明は省略する。本実施形態では図４に示すように、リモコン装置２は、実施形態１の信号検知部２ｃの代わりにＣＰＵで構成された認証部２ｋと、メモリ等で構成されたデータベース部２ｊとを備えており、データベース部２ｊは複数機種のＴＶ本体１が電源オン時にスピーカ１ｃから発する各起動音の探索用音パターンを予め記憶している。起動音は各ＴＶ本体１に固有のものであり、探索用音パターンもＴＶ本体１毎に固有のパターンが記憶される。
【００１７】
次に本実施形態の動作について図５のフローチャートを用いて説明する。まず、リモコン装置２で機種選択による探索用音パターンの初期設定を行う。具体的には、ユーザがキー操作部２ｍを操作して、データベース部２ｊに予め記憶されているＴＶ本体１の複数機種からいずれかの機種を選択すると（ステップＳ１１）、選択した機種に対応してデータベース部２ｊに記憶されている探索用音パターンが認証部２ｋに設定される（ステップＳ１２）。
【００１８】
そして通常動作時には、ＴＶ本体１は制御部１ｂの動作プログラムに従って動作しており、ユーザが電源スイッチ１ｅを操作して主電源１ａがオンしたときに（ステップＳ１３）、起動音がスピーカ１ｃから発せられる（ステップＳ１４）。この起動音はこのＴＶ本体１固有の特定の周波数成分を含んでいる。また起動音は、ＴＶ本体１でテレビ音声用に設定されている音量と同等、あるいはそれよりも大きい音量であれば好適であり、さらには、人間の耳に聞こえない周波数帯を用いてもよい。そして、リモコン装置２の受音部２ａがスピーカ１ｃからの起動音を受音して音信号に変換すると（ステップＳ１５）、信号フィルタ２ｂは、起動音の音信号にフィルタリングを施して特定の周波数成分のみを通過させる（ステップＳ１６）。認証部２ｋでは、信号フィルタ２ｂを通過した音信号と、認証部２ｋに設定されている探索用音パターンとを比較し（ステップＳ１７）、信号フィルタ２ｂを通過した音信号と、認証部２ｋに設定されている探索用音パターンとが一致するか否かを判別して音のパターンマッチングを行う（ステップＳ１８）。認証部２ｋは、信号フィルタ２ｂを通過した音信号と、認証部２ｋに設定されている探索用音パターンとが一致していると判別すれば、検知信号をドライバ２ｄ，２ｆ，２ｈへ出力して、ドライバ２ｄが発音部２ｅから報知音を発し、ドライバ２ｆがＬＥＤ２ｇを点灯あるいは点滅させ、ドライバ２ｈがバイブレータ２ｉを駆動してリモコン装置２本体を振動させる（ステップＳ１９）。認証部２ｋが、信号フィルタ２ｂを通過した音信号と、認証部２ｋに設定されている探索用音パターンとは一致していないと判断すれば、処理は終了する（ステップＳ２０）。
【００１９】
このように、起動時等に音を発するＴＶ本体１等の電子機器にリモコン装置探索用の専用装置を設けることなく、ユーザーがリモコン装置２を報知音、発光、振動によって探すことができる。また、電子機器１は一般に提供されているものを用いることができ、従来のようにリモコン装置探索用の専用装置のために電子機器の製造コストが上昇することはない。さらに、データベース部２ｊはＴＶ本体１の複数機種の探索用音パターンを予め記憶しているので、ＴＶ本体１の機種に依存せずにリモコン装置２の探索を行うことができる。なお認証部２ｋを構成するＣＰＵは、音信号と探索用音パターンとを比較するのに十分な容量が必要であり、この機能をリモコン装置２の動作制御を行うＣＰＵ（不図示）に組み込んでもよい。
【００２０】
また本実施形態ではリモコン装置２の探索手段として電子機器が発する音を用いることによって、探索手段に無線信号や光信号を用いる場合と比べて、リモコン装置２が探索手段の死角に存在して探索できないという状況を低減できる。
【００２１】
（実施形態３）
本実施形態のリモコン装置は、実施形態２のリモコン装置の構成（図４参照）から信号フィルタ２ｂを削除したもので、認証部２ｋでは、受音部２ａからの音信号と、認証部２ｋに設定されている探索用音パターンとを比較し、受音部２ａからの音信号と、認証部２ｋに設定されている探索用音パターンとが一致するか否かを判別して音のパターンマッチングを行う。したがってリモコン装置２の構成をさらに簡略化して音のパターンマッチングを行うことができる。他の構成、動作は実施形態２と同様であり、説明は省略する。
【００２２】
（実施形態４）
本実施形態のリモコン装置の探索機能のブロック構成は実施形態２と同様に図４に示されるが、テレビ本体２の起動音を録音することで探索用音パターンの初期設定を行う録音モードを有する点、及びデータベース部２ｊは録音モードで設定した探索用音パターンを記憶している点が実施形態２と異なる。実施形態２と同様の構成には同一の符号を付して説明は省略する
次に本実施形態の動作について図６のフローチャートを用いて説明する。まず、リモコン装置２で録音による探索用音パターンの初期設定を行う。具体的には、ユーザがキー操作部２ｍを操作して録音モードにしてから（ステップＳ３１）、電源スイッチ１ｅを操作して主電源１ａをオンさせると（ステップＳ３２）、特定の周波数成分を含んだ起動音がスピーカ１ｃから発せられる（ステップＳ３３）。そして、リモコン装置２の受音部２ａがスピーカ１ｃからの起動音を受音して音信号に変換すると（ステップＳ３４）、信号フィルタ２ｂは、起動音の音信号にフィルタリングを施して特定の周波数成分のみを通過させ（ステップＳ３５）、この信号フィルタ２ｂを通過した音信号を探索用音パターンとしてデータベース部２ｊに記憶させるとともに、認証部２ｋに設定する（ステップＳ３６）。
【００２３】
そして通常動作時には、ＴＶ本体１は制御部１ｂの動作プログラムに従って動作しており、ユーザが電源スイッチ１ｅを操作して主電源１ａをオンしたときに（ステップＳ３７）、起動音がスピーカ１ｃから発せられる（ステップＳ３８）。この起動音はこのＴＶ本体１固有の特定の周波数成分を含んでいる。また起動音は、ＴＶ本体１でテレビ音声用に設定されている音量と同等、あるいはそれよりも大きい音量であれば好適であり、さらには、人間の耳に聞こえない周波数帯を用いてもよい。そして、リモコン装置２の受音部２ａがスピーカ１ｃからの起動音を受音して音信号に変換すると（ステップＳ３９）、信号フィルタ２ｂは、起動音の音信号にフィルタリングを施して特定の周波数成分のみを通過させる（ステップＳ４０）。認証部２ｋでは、信号フィルタ２ｂを通過した音信号と、認証部２ｋに設定されている探索用音パターンとを比較し（ステップＳ４１）、信号フィルタ２ｂを通過した音信号と、認証部２ｋに設定されている探索用音パターンとが一致するか否かを判別して音のパターンマッチングを行う（ステップＳ４２）。認証部２ｋは信号フィルタ２ｂを通過した音信号と、認証部２ｋに設定されている探索用音パターンとが一致していると判別すれば、検知信号をドライバ２ｄ，２ｆ，２ｈへ出力して、ドライバ２ｄが発音部２ｅから報知音を発し、ドライバ２ｆがＬＥＤ２ｇを点灯あるいは点滅させ、ドライバ２ｈがバイブレータ２ｉを駆動してリモコン装置２本体を振動させる（ステップＳ４３）。認証部２ｋが、信号フィルタ２ｂを通過した音信号と、認証部２ｋに設定されている探索用音パターンとは一致していないと判断すれば、処理は終了する（ステップＳ４４）。
【００２４】
このように、起動時等に音を発するＴＶ本体１等の電子機器にリモコン装置探索用の専用装置を設けることなく、ユーザーがリモコン装置２を報知音、発光、振動によって探すことができる。また、電子機器１は一般に提供されているものを用いることができ、従来のようにリモコン装置探索用の専用装置のために電子機器の製造コストが上昇することはない。さらに、データベース部２ｊはＴＶ本体１の探索用音パターンを録音して記憶するので、ＴＶ本体１の機種によって探索用音パターンを変更することができ、ＴＶ本体１の機種に依存せずにリモコン装置２の探索を行うことができる。
【００２５】
また本実施形態ではリモコン装置２の探索手段として電子機器が発する音を用いることによって、探索手段に無線信号や光信号を用いる場合と比べて、リモコン装置２が探索手段の死角に存在して探索できないという状況を低減できる。
【００２６】
（実施形態５）
本実施形態のリモコン装置は、実施形態４のリモコン装置の構成（図４参照）から信号フィルタ２ｂを削除したもので、録音モードでの初期設定では受音部２ａからの音信号を探索用音パターンとしてデータベース部２ｊに記憶させるとともに、認証部２ｋに設定する。そして認証部２ｋでは、受音部２ａからの音信号と、設定された探索用音パターンとを比較し、受音部２ａからの音信号と、設定された探索用音パターンとが一致するか否かを判別して音のパターンマッチングを行う。したがってリモコン装置２の構成をさらに簡略化して音のパターンマッチングを行うことができる。他の動作は実施形態４と同様であり、説明は省略する。
【００２７】
ここで、実施形態１乃至実施形態５において、探索手段としては、ＴＶ本体１の起動時にスピーカ１ｃから発する音を用いているが、この他に、電子機器が備えているコンデンサ等の回路機器（不図示）から起動時に発せられる音を用いてもよい。この場合、リモコン装置２の被遠隔操作装置である電子機器は特にスピーカを備えていなくてもよい。
【図面の簡単な説明】
【００２８】
【図１】本発明の実施形態１のリモコン装置及び電子機器のブロック構成を示す図である。
【図２】同上の外観構成を示す図である。
【図３】同上の動作フローチャートを示す図である。
【図４】本発明の実施形態２のリモコン装置のブロック構成を示す図である。
【図５】同上の動作フローチャートを示す図である。
【図６】本発明の実施形態４の動作フローチャートを示す図である。
【符号の説明】
【００２９】
１  ＴＶ本体
１ａ  主電源
１ｃ  スピーカ
２  リモコン装置
２ａ  受音部
２ｂ  信号フィルタ
２ｃ  信号検知部
２ｅ  発音部
２ｇ  ＬＥＤ
２ｉ  バイブレータ
【図１】
2005176091.tif 000003
【図２】
2005176091.tif 000004
【図３】
2005176091.tif 000005
【図４】
2005176091.tif 000006
【図５】
2005176091.tif 000007
【図６】
2005176091.tif 000008